(57)【要約】【課題】  本発明はＰＯＳ本体と計量機との間の通信系統で異常が発生した場合に給油許可が得られないことを課題とする。【解決手段】  燃料供給システム１０は、複数の燃料供給装置１６と、管理コンピュータ２０と、ＰＯＳ本体２１とを有する。燃料供給装置１６は、計量機２４と、計量機２４に搭載された設定器２６と、自動支払機２８とを有する。設定器２６は、上記タッチパネル４９が表示器と入力装置を兼ねると共に、ＰＯＳ本体２１で異常が発生したことを検出する手段（異常検出手段）と、ＰＯＳ本体２１で異常が発生したことが検出された場合に、ＰＯＳ本体２１に代わって燃料供給装置１６に対して許可信号を出力する手段（許可手段）と、ＰＯＳ本体２１が異常であったときの燃料供給に関するデータを記憶し、ＰＯＳ本体２１が正常になったとき、ＰＯＳ本体２１に未送信の燃料供給に関するデータを当該ＰＯＳ本体２１に転送する手段を有する。【選択図】  図１
2006264704.tif 000002
【特許請求の範囲】
【請求項１】
燃料を被供給体に供給する複数の燃料供給装置と、
該複数の燃料供給装置の夫々に接続され、前記被供給体に供給される燃料に関する設定データを登録する複数の設定器と、
該複数の設定器及び前記複数の燃料供給装置と通信可能に接続され、前記燃料供給装置から燃料供給の許可を要求する信号が入力されると、当該燃料供給装置に対して許可信号を送信する管理装置と、
を有する燃料供給システムにおいて、
前記設定器は、
前記管理装置で異常が発生したことを検出する異常検出手段と、
前記異常検出手段により前記管理装置で異常が発生したことが検出された場合に、前記管理装置に代わって前記燃料供給装置に対して許可信号を出力する許可手段と、
を有することを特徴とする燃料供給システム。
【請求項２】
前記設定器は、前記管理装置が異常であったときの燃料供給に関するデータを記憶し、前記管理装置が正常になったとき、前記燃料供給に関するデータを前記管理装置に転送する転送手段を備えたことを特徴とする請求項１に記載の燃料供給システム。
【発明の詳細な説明】
【技術分野】
【０００１】
本発明は燃料供給システムに係り、特に燃料供給装置に対して管理装置から許可信号を出力することで燃料の供給が行なえるよう構成された燃料供給システムに関する。
【背景技術】
【０００２】
例えば、複数の計量機（燃料供給装置）が設置された給油所においては、事務所内に設置されたＰＯＳ本体（管理装置）と複数の計量機及び複数の設定器とが通信回線（ＳＳ−ＬＡＮ）を介して各種データを相互に送受信できるように構成されている（例えば、特許文献１参照）。
【０００３】
そして、給油所の係員は、車両の燃料タンクに給油するに際して、設定器により給油情報（給油すべき油種、プリセット給油量等）を設定し、計量機のノズル掛けから給油ノズルを外す。計量機では、ノズル掛けから給油ノズルが外されたことが検出されると、ＰＯＳ本体に対して給油許可要求信号を送信する。事務所内のオペレータは、ＰＯＳ本体のモニタに表示された給油許可要求信号有りのメッセージあるいはアイコンを視認すると、当該給油装置周辺に異常が無いことを確認して給油許可を出力する操作を行なう。
【０００４】
計量機は、ＰＯＳ本体からの給油許可信号を受信すると、ポンプを起動させて給油ノズルへの送液を開始する。そして、給油ノズルのノズルレバーが開弁操作されると、ポンプにより送液された油液は、当該車両の燃料タンクに給油される。
【０００５】
その後、給油が終了して給油ノズルがノズル掛けに戻されると、油種、給油量等の給油データが計量機からＰＯＳ本体に転送される。
【０００６】
また、近年、セルフサービス方式の給油所では、顧客自身が設定器を操作した後、給油ノズルをノズル掛けから外して給油操作を行なうように構成されている。このセルフサービス方式の場合も計量機からＰＯＳ本体に対して給油許可要求信号を送信し、事務所内のオペレータが当該給油装置周辺に異常が無いことを確認して給油許可を出力する操作を行なうようになっている。
【特許文献１】特開２００４−２０３４７４号公報
【発明の開示】
【発明が解決しようとする課題】
【０００７】
しかしながら、上記従来の燃料供給システムでは、ＰＯＳ本体の故障あるいはＰＯＳ本体と各計量機及び設定器とを接続する通信系統に何らかの故障が発生した場合には、計量機からの給油許可要求信号が送信できなかったり、あるいは計量機からの給油許可要求信号を受信したＰＯＳ本体が計量機に対して給油許可信号を送信できず、計量機自体が正常であるにも拘わらず、給油が行なえないという問題が生じるおそれがあった。
【０００８】
そこで、本発明は上記課題を解決した燃料供給システムを提供することを目的とする。
【課題を解決するための手段】
【０００９】
上記課題を解決するため、本発明は以下のような手段を有する。
【００１０】
請求項１記載の発明は、燃料を被供給体に供給する複数の燃料供給装置と、該複数の燃料供給装置の夫々に接続され、前記被供給体に供給される燃料に関する設定データを登録する複数の設定器と、該複数の設定器及び前記複数の燃料供給装置と通信可能に接続され、前記燃料供給装置から燃料供給の許可を要求する信号が入力されると、当該燃料供給装置に対して許可信号を送信する管理装置と、を有する燃料供給システムにおいて、前記設定器は、前記管理装置で異常が発生したことを検出する異常検出手段と、前記異常検出手段により前記管理装置で異常が発生したことが検出された場合に、前記管理装置に代わって前記燃料供給装置に対して許可信号を出力する許可手段と、を有することを特徴とする。
【００１１】
請求項２記載の発明は、前記設定器が、前記管理装置が異常であったときの燃料供給に関するデータを記憶し、前記管理装置が正常になったとき、前記燃料供給に関するデータを前記管理装置に転送する転送手段を備えたことを特徴とする。
【発明の効果】
【００１２】
本発明によれば、設定器が管理装置で異常が発生したことを検出された場合に、管理装置に代わって燃料供給装置に対して許可信号を出力するため、燃料供給装置自体に異常がなければ、被供給体への燃料を供給することができ、管理装置が正常に機能するまで燃料の供給が行なえないといった不都合を解消することができる。
【００１３】
また、本発明によれば、管理装置が異常であったときの燃料供給に関するデータを記憶し、管理装置が正常になったとき、燃料供給に関するデータを管理装置に転送するため、管理装置が正常に戻ったときには、異常発生中の燃料供給に関するデータを管理装置でも管理することができるようにシステムの復旧を図ることができる。
【発明を実施するための最良の形態】
【００１４】
以下、図面を参照して本発明を実施するための最良の形態について説明する。
【実施例１】
【００１５】
図１は本発明になる燃料供給システムの一実施例を示す系統図である。図１に示されるように、燃料供給システム１０は、セルフサービス方式の給油システムであり、給油エリア１２に設置された釣り銭機１４と、複数の燃料供給装置１６（１６１〜１６ｎ）と、事務所１８内に設置された管理コンピュータ２０と、管理コンピュータ２０に接続されたＰＯＳ本体２１とを有する。尚、本実施例では、ＰＯＳ本体２１は、管理コンピュータ２０を介して複数の燃料供給装置１６（１６１〜１６ｎ）と通信するように接続されている。従って、管理コンピュータ２０とＰＯＳ本体２１とは、通信可能に接続されており、互いに連携して管理装置として機能するように構成されている。
【００１６】
管理コンピュータ２０は、モニタ２０ａに各燃料供給装置１６（１６１〜１６ｎ）及び釣り銭機１４の動作状態を表示しており、給油所の係員が各燃料供給装置１６（１６１〜１６ｎ）及び釣り銭機１４の動作状態を一目で分かるようになっている。釣り銭機１４は、例えば、給油作業終了後に入金額と給油金額との差額（釣り銭）を支払うための装置であり、係員の釣り銭補充作業を容易にするため、事務所の近傍に設けられている。
【００１７】
管理コンピュータ２０の記憶装置２２には、各燃料供給装置１６（１６１〜１６ｎ）を管理するための制御プログラムと、モニタ２０ａの表示面に各燃料供給装置１６（１６１〜１６ｎ）の動作状態及び釣り銭機１４の状態を表示する制御プログラムとが格納されている。
【００１８】
燃料供給装置１６は、セルフサービス給油方式の計量機２４と、計量機２４に搭載された設定器２６と、料金をその場で精算するための自動支払機（入金機）２８とを有する。
また、釣り銭機１４及び複数の燃料供給装置１６（１６１〜１６ｎ）は、通信回線（例えば、ＳＳ−ＬＡＮ）３０を介して管理コンピュータ２０と接続されている。尚、本実施例では、設定器２６が計量機２４と一体な構成となっているが、これに限らず、設定器２６を計量機２４と別体な構成としても良い。
【００１９】
また、給油エリア１２には、燃料供給装置１６（１６１〜１６ｎ）の周辺を監視するための監視カメラ３２１〜３２ｎが設けられている。監視カメラ３２１〜３２ｎは、カメラ分割ユニット３４に接続されており、監視カメラ３２１〜３２ｎにより撮像された画像はカメラ分割ユニット３４を介して監視モニタ３６に転送される。監視モニタ３６は、監視カメラ３２１〜３２ｎにより撮像された複数の画像を同時に分割表示する。
【００２０】
図２は燃料供給装置１６の正面図である。図２に示されるように、燃料供給装置１６は、セルフサービス方式の計量機２４からなり、操作部３８と、操作部３８の両側に起立する支柱４０，４２と、上部に横架されたホース支持部４４とを有する。
【００２１】
計量機２４の内部には、後述する各給油系統の電磁弁と、給油ポンプと、流量計などの各機器が設けられている。
【００２２】
操作部３８には、静電気除去シート４６と、静電気除去シート４６の右側に配置された設定器２６と、自動支払機２８と、インタホン４８とが設けられている。設定器２６は、液晶モニタなどからなるタッチパネル４９を有し、タッチパネル４９に表示された設定入力画面に触れることで油種（軽油、レギュラーガソリン、ハイオクガソリン）を選択、給油量の入力操作などを行える。また、設定器２６の上方に配置されて人検知センサ５０が設けられており、人検知センサ５０がオンになると、顧客が設定器２６の前にいるものと判断して、設定器２６に設定入力画面が表示される。
【００２３】
また、タッチパネル４９は、設定器２６の入力装置と流量表示器とを兼ねている。すなわち、給油開始前のタッチパネル４９は、設定器２６の設定情報を入力する操作部として機能すると共に、設定終了後のタッチパネル４９は、給油量を表示する給油量表示器として機能するように設けられている。従って、設定器２６は、タッチパネル４９の操作により車両の燃料タンク（被供給体）に供給される燃料に関する設定データ（油種、給油量または給油金額などのデータ）が入力されると、この設定データを給油すべき登録データとして登録する。
【００２４】
さらに、設定器２６は、ＰＯＳ本体２１で異常が発生したことを検出する手段（異常検出手段）と、ＰＯＳ本体２１で異常が発生したことが検出された場合に、ＰＯＳ本体２１に代わって燃料供給装置１６に対して許可信号を出力する手段（許可手段）と、ＰＯＳ本体２１が異常であったときの燃料供給に関するデータを記憶し、ＰＯＳ本体２１が正常になったとき、ＰＯＳ本体２１に未送信の燃料供給に関するデータを当該ＰＯＳ本体２１に転送する手段（転送手段）を有する。
【００２５】
また、設定器２６は、上記ＰＯＳ本体２１で異常が発生したことを検出する制御プログラムの代わりに係員が手動操作して異常発生状態を検出するための検出スイッチ（異常検出手段）を設ける構成としても良い。
【００２６】
また、人検知センサ５０としては、例えば、光センサあるいはイメージセンサなどを用いたものであり、給油操作を行う操作者が設定器２６の前に立ったことを検知してその検知信号を出力する。
【００２７】
自動支払機２８は、紙幣挿入部５２と、カード挿入部５４と、レシート発行部５６とを有する。紙幣挿入部５２は、挿入された紙幣の種別（千円札、２千円札、５千円札、一万円札）を鑑別する鑑別機能を有しており、顧客が挿入した紙幣の金額をタッチパネル４９に表示させる。
【００２８】
カード挿入部５４は、給油所が発行したプリペイドカード、あるいはクレジットカードを挿入されると、カードに記憶された情報を読み取り、給油が可能かどうかを設定器２６に表示させる。
【００２９】
レシート発行部５６は、給油が終了すると、油種、給油量、給油金額、消費税、合計金額などの給油情報を記載したレシートを発行する。
【００３０】
また、計量機２４の前面パネル５８には、給油ノズル６０を掛止するノズル掛け６２が３箇所に設けられている。給油ノズル６０は、ホース支持部４４から吊り下げられた給油ホース６４が連通接続されている。
【００３１】
図３は燃料供給装置１６の各機器の構成を示すブロック図である。図３に示されるように、燃料供給装置１６の制御回路６６には、各計量機２４の給油経路に設けられた電磁弁６８、給油ポンプ７０、流量計７２、メモリ８０、人検知センサ５０、ノズル掛け６２に設けられたノズルスイッチ７４、自動支払機２８に設けられた紙幣鑑別部７６、設定器２６、カード挿入部５２に設けられたカードＲ／Ｗ７８、インタホン４８と、レシート発行部５６に設けられたプリンタ８２とが接続されている。
【００３２】
図４は設定器２６の構成を示すブロック図である。図４に示されるように、設定器２６は、前述したタッチパネル４９と、通信回線３０に接続された通信ユニット９０と、制御部９２と、記憶部９４とを有する。制御部９２は、記憶部９４に格納された各制御プログラムを読み込んでタッチパネル４９の操作によって入力された給油データを設定データ（燃料供給に関するデータ）として記憶部９４に記憶すると共に、この設定データを燃料供給装置１６の制御回路６６に出力する。また、制御部９２は、給油終了後、給油した油種、給油量、給油金額等の給油データ（燃料供給に関するデータ）を記憶部９４に記憶すると共に、ＰＯＳ本体２１よりの送信要求に基づき給油データを通信ユニット９０及び通信回線３０を介して管理コンピュータ２０、ＰＯＳ本体２１にも転送し、転送を完了した場合には当該転送を完了した給油データを記憶部９４より記憶抹消する。
【００３３】
尚、記憶部９４には、ＰＯＳ本体２１で異常が発生したことを検出する制御プログラム（異常検出手段）と、ＰＯＳ本体２１で異常が発生したことが検出された場合に、ＰＯＳ本体２１に代わって燃料供給装置１６に対して許可信号を出力する制御プログラム（許可手段）と、ＰＯＳ本体２１が異常である場合において燃料供給装置１６により給油された燃料供給に関するデータを記憶し、ＰＯＳ本体２１が正常になったとき、燃料供給に関するデータをＰＯＳ本体２１に転送する制御プログラム（転送手段）とが格納されており、制御部９２は、これらの制御プログラムに基づいて後述する制御処理を実行する。
【００３４】
ここで、設定器２６の制御部９２が実行する制御処理について図５乃至図８を参照して説明する。設定器２６の制御部９２は、図５に示すＳ１１でタッチパネル４９の入力操作によって給油条件（給油すべき油種、給油すべき給油量または給油金額等）が設定された否かを確認する。Ｓ１１において、給油条件が設定完了された場合は、Ｓ１２に進み、支払い方法（現金支払いまたはプリペイドカードで決済）及び入金額（プリペイドカードの場合は記憶されているポイント数）を記憶部９４に記憶する。
【００３５】
自動支払機２８の紙幣挿入部５２に紙幣が挿入され、紙幣鑑別部７６によって紙幣が正規の紙幣である場合には、この紙幣の金額を給油金額の限度として給油が許可される。また、自動支払機２８のカード挿入部５４にプリペイドカード（図示せず）が挿入された場合には、カードＲ／Ｗ７８で読み取られたプリペイドカードの度数に対応する給油金額を限度として給油が許可される。
【００３６】
次のＳ１３では、設定器２６がＰＯＳ本体２１と通信可能な状態であるか否かを確認する（異常検出手段）。ここで、ＰＯＳ本体２１と通信可能な状態か否かは、例えばＰＯＳ本体２１より設定器２６へ定期的（例えば２〜５秒毎）に送信される送信要求が設定器２６において定期的に受信されているか否かにより判定することができる。このＳ１３において、設定器２６とＰＯＳ本体２１とが通信可能な状態であるときは、Ｓ１４に進み、記憶部９４に記憶した給油条件をＰＯＳ本体２１に送信する。
【００３７】
続いて、図６に示すＳ１５では、ＰＯＳ本体２１または管理コンピュータ２０から発行された許可信号が受信されたか否かを確認する。事務所１８の係員は、監視モニタ３６に表示された監視カメラ３２１〜３２ｎにより撮像された画像により給油要求のあった計量機２４付近の安全を確認して給油許可の操作を行なうと、当該計量機２４の設定器２６に給油許可信号が送信される。
【００３８】
Ｓ１５において、許可信号が受信された場合には、Ｓ１６に進み、許可信号に含まれる当該油種の単価情報を記憶部９４に記憶する。続いて、Ｓ１７では、当該計量機２４に給油許可信号を転送する。これにより、当該計量機２４では、給油ノズル６０がノズル掛け６２から外されてノズルスイッチ７４がオフになると、給油ポンプ７０が起動されて給油可能な状態になる。そして、車両の燃料タンク（被供給体）に挿入された給油ノズル６０のノズルレバー（図示せず）が開弁位置に操作されると、車両の燃料タンクへの給油が開始される。そして、Ｓ１８では、計量機２４から送信された給油量の計測データを受信する。
【００３９】
次のＳ１９では、ＰＯＳ本体２１または管理コンピュータ２０から発行された停止信号が受信されたか否かを確認する。Ｓ１９において、停止信号が受信されたときは、Ｓ２０に進み、当該計量機２４へ停止信号を送信する。そして、Ｓ２１で当該計量機２４での給油が終了したか否かを確認する。すなわち、Ｓ２１においては、給油ノズル６０がノズル掛け６２に戻されてノズルスイッチ７４がオンになると、給油終了と判断する。
【００４０】
Ｓ２１において、給油終了でない（給油中である）ときは、上記Ｓ１８に戻り、Ｓ１８以降の処理を再度実行する。また、上記Ｓ１９において、停止信号が受信されないときは、Ｓ２０の処理を省略してＳ２１に移行する。
【００４１】
また、上記Ｓ２１において、給油終了と判断されたときは、図７に示すＳ２２に進み、今回給油された給油量及び給油金額などの給油データを記憶部９４に記憶する。続いて、Ｓ２３では、ＰＯＳ本体２１に記憶部９４に記憶した給油データを送信する。そして、Ｓ２４でプリンタ８２から伝票を１部発行する。このように、設定器２６とＰＯＳ本体２１との通信系統が正常に通信可能な状態である場合には、給油データが印字された伝票を１部発行する。
【００４２】
次のＳ２５では、設定器２６がＰＯＳ本体２１と通信可能な状態であるか否かを確認する。このＳ２５において、設定器２６とＰＯＳ本体２１とが通信可能な状態であるときは、Ｓ２６に進み、ＰＯＳ本体２１へ送信すべき未送信データ（未送信の燃料供給に関するデータを含む）が残っているか否かを確認する。Ｓ２６において、設定器２６とＰＯＳ本体２１との通信系統が正常な状態であるときは、未送信データが無いので、Ｓ２７の処理を省略して今回の制御処理を終了する。
【００４３】
また、上記Ｓ１３において、設定器２６とＰＯＳ本体２１との通信系統が正常に通信できない状態であるときは、Ｓ２８に進み、上記Ｓ１２で記憶部９４に記憶した給油条件（設定データ）をＰＯＳ本体２１に対する未送信データ（未送信の燃料供給に関するデータを含む）として記憶部９４に記憶する。尚、設定器２６とＰＯＳ本体２１との通信系統が正常に通信できない状態の具体例としては、例えば、ＰＯＳ本体２１の通信ユニットが故障した場合、あるいはＰＯＳ本体２１が故障した場合、あるいは管理コンピュータ２０が故障した場合、あるいは通信回線３０に何らかの異常が発生した場合等が考えられる。
【００４４】
続いて、図８に示すＳ２９に進み、設定器２６のタッチパネル４９以外の入力装置（図示せず）から給油許可信号が入力された否かを確認する。尚、タッチパネル４９以外の入力装置としては、例えば、顧客が勝手に操作できないようにキー付きスイッチ、あるいは給油所の係員のみが所持するリモートコントローラによって給油許可信号を入力することが可能になる。このＳ２９において、給油許可信号が入力された場合には、Ｓ３０に進み、記憶部９４に記憶している当該油種の単価情報を読み込む。
【００４５】
そして、Ｓ３１に進み、ＰＯＳ本体２１に代わって当該計量機２４に給油許可信号を送信する（許可手段）。これにより、当該計量機２４では、給油ノズル６０がノズル掛け６２から外されてノズルスイッチ７４がオフになると、給油ポンプ７０が起動されて給油可能な状態になる。そして、車両の燃料タンク（被供給体）に挿入された給油ノズル６０のノズルレバー（図示せず）が開弁位置に操作されると、車両の燃料タンクへの給油が開始される。そして、Ｓ３２では、計量機２４から送信された給油量の計測データを受信する。
【００４６】
続いて、Ｓ３３では、設定器２６のタッチパネル４９以外の入力装置（図示せず）から停止信号が入力された否かを確認する。Ｓ３３において、停止信号が入力されたときは、Ｓ３４に進み、当該計量機２４へ停止信号を送信する。そして、Ｓ３５で当該計量機２４での給油が終了したか否かを確認する。すなわち、Ｓ３５においては、給油ノズル６０がノズル掛け６２に戻されてノズルスイッチ７４がオンになると、給油終了と判断する。
【００４７】
Ｓ３５において、給油終了では無いと判断されると、上記Ｓ３２に戻り、Ｓ３２以降の処理を再度実行する。また、上記Ｓ３３において、停止信号が入力されないときは、Ｓ３４の処理を省略してＳ３５に移行する。
【００４８】
また、上記Ｓ３５において、給油終了と判断されたときは、図７に示すＳ３６に進み、今回給油された給油量及び給油金額などの給油データ（燃料供給に関するデータ）を記憶部９４に記憶する。続いて、Ｓ３７では、記憶部９４に記憶した給油データを未送信データとして記憶部９４に記憶する。そして、Ｓ３８でプリンタ８２から伝票を２部発行する。このように、設定器２６とＰＯＳ本体２１との通信系統が通信可能な状態に確立されていない場合には、給油データが印字された伝票を２部発行するため、２部のうち、１部は顧客用で、もう１部は給油所の管理用として保存する。
【００４９】
次のＳ２５において、設定器２６とＰＯＳ本体２１とが通信可能な状態であるときは、Ｓ２６に進み、ＰＯＳ本体２１へ送信すべき未送信データ（未送信の燃料供給に関するデータ）が残っているか否かを確認する。Ｓ２６において、設定器２６とＰＯＳ本体２１との通信系統が正常な状態（通信可能な状態）であるときは、Ｓ２７に進み、未送信データを記憶部９４から読み込んでＰＯＳ本体２１へ送信する（転送手段）とともに送信した燃料供給に関するデータを記憶部９４から記憶抹消する。これで、今回の制御処理は終了する。
【００５０】
また、上記Ｓ２５において、設定器２６とＰＯＳ本体２１とが通信できない異常状態であるときは、上記Ｓ２６、Ｓ２７の処理を省略して今回の制御処理を終了する。なお、ＰＯＳ本体２１とが通信できない異常な状態が長時間に亘る場合には、この間における燃料供給に関するデータは燃料供給の度に未送信の燃料供給に関するデータとして記憶部９４に蓄積して記憶され、ＰＯＳ本体２１とが通信が復旧した場合には、これらの未送信の燃料供給に関するデータがＰＯＳ本体２１に送信され、記憶部９４内より記憶抹消される。
【００５１】
このように、設定器２６とＰＯＳ本体２１との通信系統で何らかの異常（故障）が発生してＰＯＳ本体２１から給油許可信号が計量機２４に送信することができない場合には、設定器２６がＰＯＳ本体２１に代わって当該計量機２４に給油許可信号を送信することができるので、計量機２４に異常が無いのであれば、通常の場合と同様に計量機２４から給油を行なうことが可能となる。従って、計量機２４が正常であるのにＰＯＳ本体２１との通信系統の異常によって給油できないといった不都合を解消することができる。
【００５２】
また、設定器２６とＰＯＳ本体２１とが通信可能な状態に確立した場合には、記憶部９４に記憶された未送信データ（燃料供給に関するデータ）をＰＯＳ本体２１に送信してＰＯＳ本体２１が異常状態の間に設定された設定データや給油された給油データ等の燃料供給に関するデータをＰＯＳ本体２１に格納して給油所管理システムを通常の状態に戻すことができ、異常状態時における燃料供給に関するデータをＰＯＳ本体２１に手入力で入力する必要なく、ＰＯＳ本体２１において燃料供給に関するデータの集計処理を行うことができる。
【００５３】
なお、上記実施例では、設定データと給油データとの両方を燃料供給に関するデータとして説明したが、例えば給油データのみを燃料供給に関するデータとしたり、また、給油量のみを燃料供給に関するデータとして取り扱うこととしても良い。
【産業上の利用可能性】
【００５４】
上記実施例では、油液を給油する給油所を例に挙げて説明したが、これに限らず、油液以外の燃料（例えば、CNGやLPGなどのガス）を供給する燃料供給システムにも本発明を適用できるのは勿論である。
【００５５】
また、上記実施例では、セルフサービス方式の計量機を用いた燃料供給システムについて説明したが、これに限らず、給油所の作業員が全ての給油操作を行なうフルサービス方式の給油所にも本発明を適用できるのは勿論である。
【図面の簡単な説明】
【００５６】
【図１】本発明になる燃料供給システムの一実施例を示す系統図である。
【図２】燃料供給装置１６の正面図である。
【図３】燃料供給装置１６の各機器の構成を示すブロック図である。
【図４】設定器２６の構成を示すブロック図である。
【図５】設定器２６の制御部９２が実行する制御処理を説明するためのフローチャートである。
【図６】図５の制御処理に続いて制御部９２が実行する制御処理を説明するためのフローチャートである。
【図７】図６の制御処理に続いて制御部９２が実行する制御処理を説明するためのフローチャートである。
【図８】設定器とＰＯＳ本体との通信ができない場合に制御部９２が実行する制御処理を説明するためのフローチャートである。
【符号の説明】
【００５７】
１０  燃料供給システム
１６（１６１〜１６ｎ）  燃料供給装置
２０  管理コンピュータ
２１  ＰＯＳ本体
２４  計量機
２６  設定器
２８  自動支払機
４９  タッチパネル
６０  給油ノズル
６２  ノズル掛け
６６  制御回路
７０  給油ポンプ
７２  流量計
７４  ノズルスイッチ
９０  通信ユニット
９２  制御部
９４  記憶部
【図１】
2006264704.tif 000003
【図２】
2006264704.tif 000004
【図３】
2006264704.tif 000005
【図４】
2006264704.tif 000006
【図５】
2006264704.tif 000007
【図６】
2006264704.tif 000008
【図７】
2006264704.tif 000009
【図８】
2006264704.tif 000010